Podtech/llm-jp-corpus-v4-ja_patent huggingface dataset:
(57)【要約】      （修正有）【課題】生産コストの低下や加工時間の節約及びユーザの使用安全性の向上等の効果が実現される、鍋構造を提供する。【解決手段】鍋底１と鍋壁２及び少なくとも一つのハンドル３が備えられ、鍋壁は、鍋底から上へ伸ばして形成され、ハンドルは、鍋壁の外側且つ上縁に近接するところに位置して、鍋壁とが一体成型される。【選択図】図１
0003140987.tif 000002
【実用新案登録請求の範囲】
【請求項１】
鍋底と、
前記鍋底から上へ伸ばして形成される鍋壁と、
前記鍋壁と一体成型され、前記鍋壁の外側に位置する少なくとも一つのハンドルと、
を備えることを特徴とする鍋構造。
【請求項２】
前記鍋底と前記鍋壁及び前記ハンドルは、ともにステンレス鋼であることを特徴とする請求項１に記載の鍋構造。
【請求項３】
前記ハンドルは、前記鍋壁の上縁に近接し、前記鍋壁から鍋底に平行する方向に外へ伸ばすことを特徴とする請求項１に記載の鍋構造。
【請求項４】
前記鍋底内に、少なくとも一つの第２の材料が設置されることを特徴とする請求項１に記載の鍋構造。
【請求項５】
前記鍋底内と前記鍋壁内及び前記ハンドル内に、少なくとも一つの第２の材料が設置されることを特徴とする請求項１に記載の鍋構造。
【考案の詳細な説明】
【技術分野】
【０００１】
本考案は、鍋構造に関し、特に、鍋構造のハンドルと鍋本体についての構造改良に関する。
【背景技術】
【０００２】
従来の鍋構造は、そのハンドルが、一般的に、半田付けや螺着により、鍋本体に接合され、ハンドルと鍋本体とが、一体成型ではない設計である。そのため、組立ての時間が掛かる。また、ハンドルと鍋本体を作成する時、べつべつにハンドルと鍋本体を作成するため、二つの金型が必要となり、そのため、生産コストが高くなる。また、ハンドルと鍋本体との接合部において、金属老化により弛みが生じ、このような構造を持つ鍋を使用するユーザにとって、危険が潜まれる。
【０００３】
以下、図面を参照しながら、本考案の特徴や技術内容について、詳しく説明するが、本考案は、それによって制限されることがない。
【考案の開示】
【考案が解決しようとする課題】
【０００４】
本考案の主な目的は、生産コストを低下させ、加工時間を節約させ、且つ使用する時の安全性が向上される効果が得られる鍋構造を提供する。
【課題を解決するための手段】
【０００５】
本考案は、上記の目的を達成するため、鍋底と、前記鍋底から上へ伸ばして形成する鍋壁と、前記鍋壁と一体成型され、前記鍋壁の外側に位置する少なくとも一つのハンドルと、を備える鍋構造である。
【０００６】
本考案によれば、次の効果が得られ、前記鍋壁と前記ハンドルとが、一体成型の設計であるため、生産コストの低下や加工時間の節約及びユーザの使用安全性の向上が実現される。
【０００７】
以下、図面を参照しながら、本考案の特徴や技術内容について、詳しく説明するが、本考案は、それによって制限されることがない。
【考案を実施するための最良の形態】
【０００８】
図１は、本考案の第１の実施例である。本考案は、鍋構造であって、鍋底１と鍋壁２及び二つのハンドル３が備えられる。前記鍋壁２は、前記鍋底１の周縁から上へ伸ばして形成され、前記鍋底１と鍋壁２の間に、更に内部空間４が形成される。前記二つのハンドル３は、鍋壁２と一体成型され、二つのハンドル３が対応するように前記鍋壁２の外側且つ前記鍋壁２の上縁に近接するところに位置している。また、前記二つのハンドル３は、それぞれ、前記鍋壁２から鍋底１に平行するように外へ伸ばす。もう一つの実施例において、前記ハンドル３が、一つだけ設けられる（図に未表示）。前記鍋底１内に、少なくとも一つの第２の材料５が設置され、この第２の材料５が、アルミ材や銅材である。
【０００９】
この鍋構造の作製方法は、次のような工程が含まれる。
（ａ）鍋ブランクの予め形成：図２のように、予めに、本考案のひな型である鍋ブランクを成型する。鍋ブランクは、鍋底１と鍋壁２及び二つのハンドル３が備えられ、前記鍋壁２は、前記鍋底１の周縁から上へ伸ばして形成され、前記鍋底１と鍋壁２の間に、更に、内部空間４が形成される。鍋ブランクは、複合式設計を採用する。即ち、鍋ブランクは、主として、ステンレス鋼材料からなり、また、前記ステンレス鋼である鍋ブランクの鍋底１内には第２の材料５が設置される。前記第２の材料５が、熱伝導性のよいアルミ材や銅材等の材料であり、これにより、複合式鍋構造が構成される。そのため、この鍋の加熱部位（鍋底１）には、より良い熱伝導性が得られる。
（ｂ）ロータリーエクストルージョン成型加工：図３のように、鍋ブランクを、高速に回転させながら、１組のサイクロイド６で、圧力を印加することにより、鍋ブランクの鍋底１と鍋壁２とが、塑性変形されて、成型モールド７をおおうようにして、その厚さを薄くする。前記ロータリーエクストルージョン成型加工は、せん断スピンやロールスピン等の加工方式であり、鍋ブランクの加工部位に応じて、適当な加工方式を選択できる。
（ｃ）鍋構造の成型：鍋ブランクは、ロータリーエクストルージョン成型加工により、適当な厚さになると、加工を停止し、必要とする厚さの鍋構造が得られる（図１を参照する）。
【００１０】
図４は、本考案の第２の実施例であり、第１の実施例と異なる箇所は、第２の材料５が、鍋底１内と鍋壁２内及び二つのハンドル３内に設置されることである。
【００１１】
図５は、本考案の第３の実施例であり、第１の実施例と異なる箇所は、本実施例には前記第２の材料５が設けられないことである。
【００１２】
図６は、本考案の第４の実施例であり、第１の実施例と異なる箇所は、鍋壁２が、鍋底１から円弧状に上へ伸ばして形成されることであり、また、本実施例には、前記第２の材料５が設置されない。
【００１３】
本考案に係る鍋構造は、鍋壁２と二つのハンドル３が、一体成型で、生産コストの低下や加工時間の節約及びユーザの使用安全性の向上等の効果が得られる。
【００１４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１５】
【図１】図1は本考案に係る鍋構造の第１の実施例の側面断面図である。
【図２】図２は本考案に係る鍋構造の作製工程の概念図（１）である。
【図３】図３は本考案に係る鍋構造の作製工程の概念図（２）である。
【図４】図４は本考案に係る鍋構造の第２の実施例の側面断面図である。
【図５】図５は本考案に係る鍋構造の第３の実施例の側面断面図である。
【図６】図６は本考案に係る鍋構造の第４の実施例の側面断面図である。
【符号の説明】
【００１６】
１      鍋底
２      鍋壁
３      ハンドル
４      内部空間
５      第２の材料
６      サイクロイド
７      成型モールド
【図１】
0003140987.tif 000003
【図２】
0003140987.tif 000004
【図３】
0003140987.tif 000005
【図４】
0003140987.tif 000006
【図５】
0003140987.tif 000007
【図６】
0003140987.tif 000008
(57)【要約】      （修正有）【課題】傘自体の重量とバランスを取るために必要となる力の大半を握力を介さず直接腕に伝えることを可能とするストッパー付き傘を提供する。【解決手段】傘の手元１へストッパー２を設ける（刀の鍔のようなイメージ）ことで、傘を差した時傘の重さでストッパー２が自然と手に引っかかり、傘を手の上に乗せる形で差すことができる。このように傘の重量とバランスを取るために必要となる握力の大半を直接腕に伝えることが可能となることから、手元１を握る握力を最小限に抑えることができ傘を容易に差すことができる。【選択図】図１
0003140902.tif 000002
【実用新案登録請求の範囲】
【請求項１】
傘の手元へストッパーを設けたストッパー付き傘。
【請求項２】
傘の玉留へストッパーを固定して設けた請求項１のストッパー付き傘。
【請求項３】
ストッパーを単独で設け、手元への取付け取外しが可能な方式とした請求項１のストッパー付き傘。
【考案の詳細な説明】
【技術分野】
【０００１】  本考案は、傘の手元へストッパーを設けた傘に関するもである。
【背景技術】
【０００２】  雨が降ってきて傘を差す場合、傘自体の重量を支え、また傘が倒れないようにバランスを取るためには、手元を強く握る握力が必要であった。
【考案の開示】
【考案が解決しようとする課題】
【０００３】  傘を差す場合は、まず最初に手元をしっかりと固定する強い握力が不可欠であり、次にそれを支える腕力が必要となる。この時必要な握力は、思いのほか大きくかなり大変である。【０００４】  最近は傘自体が軽量化され差しやすい商品も多く出回っているが、これとて風が吹くとバランスを取るために必要となる握力は逆に増大する。【０００５】  このようなことから手元へストッパーを設けることで、傘自体の重量とバランスを取るために必要となる力の大半を握力を介さず直接腕に伝えることを可能とし、前述の欠点を解決しようとするものである。
【課題を解決するための手段】
【０００６】  本考案は、傘の手元へストッパーを設ける。【０００７】  これにより傘を差した時、傘が落ちてくる力によって自然とストッパーが手に引っ掛かかり、ストッパーを手の上に乗せる形で差すことができる。【０００８】  このようにストッパーを設けることで、手元を握る握力を最小限に抑えることができ問題点を解決している。
【考案の効果】
【０００９】  本考案はこのような構造であることから、手元を軽く握ればその重さによって自然とストッパーが手に引っかかり傘を容易に差すことができる。【００１０】  この時手元は、軽く握った手の中で少し遊ばせるくらいの気持ちでバランスを取れば通常は十分である。
【考案を実施するための最良の形態】
【００１１】  傘の手元１の部分にストッパー２を設ける。【００１２】  また、玉留３にストッパー２を固定して設けても同じ効果が得られる。【００１３】  さらにストッパー２を独立した形（単独）で設け、それをマジックテープ４等で手元１へ取付けるまたはドーナッツ状のものを手元１へ差し込む（はめ込む）方法で取付けるようにしてもその効果は同等である。
【実施例】
【００１４】  以下、添付図面に従って実施例を説明すると、手元１へストッパー２を設ける。【００１５】  この時のストッパー２の素材は固い素材はもちろんのこと、手に優しくするために多少柔軟性あるものでもかまはない。【００１６】  またストッパー２の大きさおよび形状も幅広く応用が効き、全体が手に引っかからなくても少し引っかかる程度でも相当な効果を生み出す。【００１７】  さらにストッパー２の代わりに手が引っかかる形でキャラクター商品などを組み合わせればよりかわいい商品とも成り得る。【００１８】  ようは傘を支えられれば良いのである。
【図面の簡単な説明】
【００１９】
【図１】本考案の斜視図である。
【図２】本考案の正面図である。
【図３】ストッパー２を玉留３に固定した本考案の正面図である。
【図４】ストッパー２が独立した形（マジックテープ４を少し剥がした状態）の本考案の斜視図である。
【符号の説明】
【００２０】  １  手元
２  ストッパー
３  玉留
４  マジックテープ
【図１】
0003140902.tif 000003
【図２】
0003140902.tif 000004
【図３】
0003140902.tif 000005
【図４】
0003140902.tif 000006
(57)【要約】      （修正有）【課題】杖を立て掛ける際の転倒防止に関する技術を提供する。【解決手段】ヘッド部４と紐部５および本体部６と、一体に形成された滑止手段２を設け、その滑止手段２の裏全面３に接着材１を塗布して設け、次に接着材１の塗布面の上から全面に覆被せてシールドフィルムを装着する。【選択図】図２
0003140901.tif 000002
【実用新案登録請求の範囲】
【請求項１】
ヘッド部（４）と紐部（５）および本体部（６）と、一体に形成された滑止手段（２）を設け、その滑止手段（２）の裏全面（３）に接着材（１）を塗布して設け、次に接着材（１）の塗布面の上から、その全面に覆被せた、シールドフィルム（７）を装着する、以上のような特徴から成る、杖の転倒防止具。
【考案の詳細な説明】
【技術分野】
【０００１】  本考案は、無意識に杖（１０）を立掛けた時に、壁面（１１）または、机（１２）の角等で、杖が滑って転倒する欠点を出来るだけ解消する技術に関するものである。
【背景技術】
【０００２】  現在、杖は木製、樹脂製、および金属製等で製造されているが、ほとんどは生地のままで利用されている。
【考案の開示】
【考案が解決しようとする課題】
【０００３】  最近、高齢化が進み、杖（１０）の需要が増加している。しかし杖（１０）は立て掛けて置く事は通常の行為であるが、杖の把手部分（グリップ部分）は、ほとんど杖軸に対して非対称に作られており、そのため中心および重心がずれているので、アンバランスであるから、杖の頭の重い方向に非常に倒れやすく、咄嗟にそれを止めようとする動作は誰でも経験する事である。しかしこの咄嗟行動は、高齢者には非常に危険性を秘めており、大怪我の原因に上げられている。この対策としていろいろ開示されてきているが、特開２００６−３３４３４９（杖の転倒防止用グリップゴムキャップ）は、チューブ状輪になっているので、杖に装着出来ない部分が発生する。またさらには特開２００６−２８０８３７（転倒しにくい杖）であるが、杖全体に滑り止め材料をコーティングする技術であるが、成型機で一体成型を成すと云う事で、すでに広く使用されている杖には、利用出来ない。特開２００６−１７５１８８等はマグネットや鎖や挟具等で、引っかけたり挟んだり、また杖の一部分にしか使用出来ない事と、その製作コストが高い欠点がある。その他いろいろあるが、ほとんどの開示は、製作コスト面、その取付方法や取扱い面が面倒で、すでに普及している杖（１０）に利用出来ない等の問題がある。
本考案は、このような問題を改善する為になされたものである。
【課題を解決するための手段】
【０００４】  まず、ヘッド部（４）と紐部（５）および本体部（６）とする、一体にプレス等で形成された、摩擦係数の高い材料を使用している、滑止手段（２）を設ける。
その滑止手段（２）の裏全面（３）に粘着性の接着材（１）を塗布して設け、次に接着材（１）の塗布面の上から、滑止手段（２）の形状に合わせて、その全面に覆被せて貼り付けた、接着材劣化保護用のシールドフィルム（７）を装着する。
本考案は以上のような構成による、杖の転倒防止具である。
【考案の効果】
【０００５】  １．あらゆる現在使用されている、既存の杖（ストレートから、折りたたみ式）に至るまで対応できる。既存の使用中の杖は、その人にとって大事な伴侶である。
２．杖に、ゴテゴテと転倒防止具等、本人が取付けたり、杖の周囲のインフラ整備等、手から杖を離す行為の際の、いろいろな準備をする必要がない。
３．杖に後付けの品物として装着するが、突起物にならないので、今まで通り傘立て等に収納保管ができる。
４．構造が簡単だから高齢者でも、誰でも簡単に杖に取り付けられる。
５．壁などの立掛け物や自分の手からの滑りが無くなり、また指の下にストラップ的な帯があり、手から外れにくく、フィットするので安心感がある。
６．滑止シートの表面に、蛍光塗料等でロゴマークや企業名を入れてやれば、歩く宣伝広告塔となり、また本人も夜間での安全向上と、夜間に杖を置いた場所の判別に役立し、企業向けノベルティ品として使用するなり、二次的効果がある。
【考案を実施するための最良の形態】
【０００６】  従来の杖（１０）と云えば、木製や樹脂材料、金属材料の生地のままで、つまり裸状態で使用されているので、手も滑り易いし、立て掛けた杖（１０）も接触壁面等で滑るので倒れ易い。それを解消するベストモードは、まず、ヘッド部（４）と紐部（５）および本体部（６）と、一体に形成された滑止手段ト（２）を設け、この滑止手段（２）は、厳選された摩擦係数の高い材料（例えば、塩化ビニール類やシリコンゴム類等）を選ぶ、その滑止手段（２）の裏全面（３）に接着材（１）を塗布して設け、次に接着材（１）の塗布面の上から全面に覆被せられた、シールドフィルム（７）を装着する。
本考案は以上のような構成であり、これを使用せんとするときには、【０００７】  図１および図２のごとく、滑止手段（２）の裏面のシールドフィルム（７）を、剥がして、自分愛用の杖の、適当なる位置に貼り付けるだけで良い。
【図面の簡単な説明】
【０００８】
【図１】  本考案の平面図である。
【図２】  本考案の斜視説明図である。
【図３】  本考案の机の角での効果説明図である。
【図４】  本考案の壁面での効果説明図である。
【符号の説明】
【０００９】  １  接着材
２  滑止手段
３  裏全面
４  ヘッド部
５  紐部
６  本体部
７  シールドフィルム
８  滑止効果
９  蛍光塗料等の宣伝広告等
１０  杖
１１  壁面
１２  机
【図１】
0003140901.tif 000003
【図２】
0003140901.tif 000004
【図３】
0003140901.tif 000005
【図４】
0003140901.tif 000006
(57)【要約】【課題】  本考案はコンセント本体に特殊な形をした捻子や（捻子穴の部分の事）捻子穴の部分を錫で防いだ捻子を設け、盗聴器の取り付け防止をする。【解決手段】  本考案はコンセント本体１に特殊な穴の形の捻子３や錫を固めて捻子穴の部分を防いだ捻子４を設け、そういった工夫をする事により安易に盗聴器が取り付ける事が出来なくなる事を自在となるようにし、盗聴器の取り付け防止に役立つ。三つ又コンセントなどの１つしか捻子が付いていない物はどちらかの形をした捻子がコンセント本体に設けてある。【選択図】図１
0003140905.tif 000002
【実用新案登録請求の範囲】
【請求項１】
コンセント本体に付いている捻子本体に捻子穴の形を変形させた捻子か、又は、捻子穴に錫をハンダゴテで溶かして固めて埋めた捻子を設け、盗聴器取り付け防止を特徴とする盗聴器取り付け防止コンセント
【考案の詳細な説明】
【技術分野】
【０００１】本考案は、コンセント本体の捻子の捻子穴部分に捻子の穴の形を変形させたものか、又は、コンセントの捻子本体の穴を錫で固めて埋めたものを設けた、コンセントに関するものである。
【背景技術】
【０００２】現在のコンセントは捻子を外す事が簡単に出来、盗聴器を簡単に取り付ける事が出来る様になっている。
【考案の開示】
【考案が解決しようとす課題】
【０００３】コンセントの捻子はプラスかマイナスのどちらかになっているため簡単に取り外す事が出来る様になっている。従って、コンセントの捻子本体の穴の形を変えたり、捻子本体の穴を錫を溶かして固めて埋めてコンセントと一体化する事により盗聴器の取り付けが安易に出来なくなり前述の欠点を解決しようとするものである。
【課題を解決するための手段】
【０００４】本考案は、コンセント本体に付いている捻子本体の穴の形を変えたものか捻子本体の捻子穴を錫で溶かして埋めたものを設け、安易に盗聴器の取り付けが出来なくなる事を自在とする事により問題点を解決している。
【考案の効果】
【０００５】上述の様に、本考案の盗聴器取り付け防止コンセントはコンセント本体にプラグを差し込み電化製品が使える事は物論、現在使われている捻子と違う捻子をコンセント本体に設けたので安易に捻子を外す事が出来なくなり盗聴器の取り付け防止の役に立つ。
【考案の実施するための最良の形態】
【０００６】
0003140905.tif 000003
引っ掛かりにくい（特殊の形の）ものや捻子本体の穴をハンダゴテで錫を溶かして固めて埋めたものにする。その様な工夫をする事により盗聴器の取り付けが安易に出来なくなる様にする。壁に付いているコンセントの他に三つ又コンセントなどあらゆるコンセントを含む。コンセントの捻子を外す時は業者の人が作った特殊な形をした（ハート形など）ドライバーがいる。又は、ハンダゴテを使い錫を溶かさないといけない。
【実施例】
【０００７】以下、添付図面に従って一実施例を説明する。１は耐久性のプラスチックス等適宣素材にて一体化形成されたコンセント本体、２は電化製品のプラグを差し込んで使うために設けてある穴の部分、３は例えばハート形など特殊な形をした捻子本体でコンセントと一体化していて盗聴器の取り付け防止のために安易に取り外す事が出来なくなっている。４はコンセントと一体化されている捻子本体で穴の部分は錫を溶かして固めてあり捻子穴は埋まっていて盗聴器の取り付け防止のために安易に取り外す事が出来なくなっている。前述で述べた３の所はハート形など特殊な形をした捻子本体と述べてあるが捻子本体の穴の部分の事を言っているので捻子本体がハートの形をしているわけではない。［０００６］の内容で述べてある。３と４の捻子はなるべく違う種類（違う形の捻子を組み合わせた方がよいが同じ形の捻子でもかまわない。
【図面の簡単な説明】
【０００８】
【図１】は本考案の盗聴器取り付け防止コンセントの一実施例を示す正面図である。
【符号の説明】
【０００９】１  コンセント本体
２  コンセントと一体化されているプラグの差し込みぐち
３  コンセント本体と一体化されている特殊な形の穴が空いている捻子本体
４  コンセント本体と一体化されている捻子本体で錫を固めて捻子穴の部分は埋まっている。
【図１】
0003140905.tif 000004
(57)【要約】      （修正有）【課題】携帯電話本体にオルゴールとピアノの音に変換する事が出来るボタンや思考回路や装置などを設け、きれいな音色の着信音を楽しめる様にする。【解決手段】携帯電話本体にオルゴールとピアノボタン７を設け、携帯電話本体の内蔵には音階を解析して音じ音階でオルゴールとピアノの音に変換する事が出来る思考回路や装置などを内蔵し、オルゴールとピアノボタン７と配線や接続を施して連動させる事により、きれいな音色で楽しむ事が自在になる。メールやカメラ機能を使わない人でも楽しむ事が出来る。【選択図】図２
0003140906.tif 000002
【実用新案登録請求の範囲】
【請求項１】
携帯電話の本体上部に設けてあるスクリーンの下部分に着信音がオルゴーールかピアノに変換できるボタンを設け、携帯電話本体の内蔵部分には現在使っている着信音の音階を解析して変換できる思考回路を設け、オルゴールの音か又は、ピアノの音に変換できる事を自在としたところを特徴とするオルゴール・ピアノの音限定着信音変換機能付き携帯電話
【考案の詳細な説明】
【技術分野】
【０００１】  本考案は、携帯電話表面部分にオルゴール、又は、ピアノの音に変換できるボタン、内蔵部分にオルゴール、又は、ピアノの音に着信音を変換できる思考回路を設けた携帯電話に関するものである。
【背景技術】
【０００２】  現在の携帯電話は便利にはなっているがメールや写真機能を使わない人の観点からすれば必要ないと思われる機能も付いている。
【考案の開示】
【考案が解決しようとす課題】
【０００３】  現在の携帯電話は先程述べた様に、メールや写真機能を使わない人にとっては必要性があまりないので誰もが楽しめる機能を設け、前述の欠点を解決しようとするものである。
【課題を解決するための手段】
【０００４】  本考案は、携帯電話本体内蔵部分にオルゴール、又は、ピアノの音に着信音が変換できる機能を設け、着信音がオルゴールかピアノの音に変換できる様に思考回路を通りオルゴールとピアノボタンに配線や接続をして機能する様にする。着信音を変換できる機能を設ける事により、メールや写真機能を使わない人でも楽しむ事ができる様になり問題点を解決している。
【考案の効果】
【０００５】  上術の様に、本考案のオルゴール・ピアノの音限定着信音変換機能付き携帯電話は携帯電話本体に付いている他の機能も使える事は物論、（地上デジタル放送対応も含む）携帯電話本体に着信音変換機能を設けたので唯もが楽しめる様になっている。
【考案の実施するための最良の形態】
【０００６】  携帯電話本体は充電器で充電して使う。現在使っている着信音の音階を解析して変換出来る思考回路や装置などを携帯電話の上部、又は下部に内蔵させる事により、オルゴール、又はピアノのボタン（図面参照）を押すと思考回路や実施するための必要な装置と連動しているので考案を実施する事が出来る。機能するように配線や接続がされているのは当然の事である。どちらかのボタン（オルゴールかピアノ）をへこませた状態にしておくと電話がかかって来た時にオルゴールかピアノの音に現在使っている着信音を変換する事が出来る。オルゴールからオルゴール、ピアノからピアノの着信音は変換しても音じ音になるので意味がない。オルゴールからピアノ、ピアノからオルゴールの着信音は意味がある。本考案のアイデアは音から音、声から音に変換が出来る構造になっている。本考案のアイデアは請求項１でも述べたが音階を解析して同じ音に変換出来る思考回路や装置が携帯電話に内蔵されている。音階を解析しないで変換する思考回路や装置とは異なるものになる。例えばボイスチェンジャーなどに用いられている思考回路や装置などである。ボイスチェンジャーの場合は声から音ではないが変換されると違う音階の声になっている。又、本考案の音階を解析して同じ音に変換出来る（同じ音とは同じ音階の音という意味である。）思考回路や装置はからくり装置とは異なる物の名前になる。ボイスチェンジャーの場合もからくり装置とは呼んだりしないためである。本考案のボタンの所の構造は昔の扇風機に付いているボタンと同じ構造を用いる。ボタンを押すとボタンがへこみもう一度ボタンを押すとボタンが戻る様になっていて両方のボタンを同時にへこませて使う事が出来ない昔の扇風機のボタンと同じ構造を本考案のボタンに用いる。（オルゴールとピアノボタン）オルゴールとピアノボタンは携帯電話本体の上部に設けてあるスクリーンの下部分に設けてある。（携帯電話の表面部分の）
【実施例】
【０００７】  以下、添付図面に従って一実施例を説明する。
１は携帯電話の本体で色色な機能が付いている。
２は電話を掛けたりメールをしたりするのに必要なボタンである。
３はカメラ・記号・発歴ＯＫ着歴・アブリ・電話帳・メールといった様様な機能を使うために付いているボタンである。
0003140906.tif 000003
６は色色な物を表示するためにあるスクリーンである。
７は本考案のオルゴールかピアノの音に今使っている着信音を変換するためのボタンである。
８は携帯電話本体の上部に付いている本体の蓋の部分である。
９は携帯電話上部と下部をつなぐために付いている器具である。
１０は話をするために必要なボタンである。
【図面の簡単な説明】
【０００８】
【図１】は携帯電話本体の下部を示す正面図である。
【図２】は本考案のオルゴール・ピアノの音限定着信音変換機能付き携帯電話の一実施例を示す正面図である。（上部の図面）
【符号の説明】
【０００９】１  携帯電話本体
２  携帯電話本体に設けてあるボタン
３  電話帳・メール・着歴ＯＫ発歴・アブリ・カメラ・記号
0003140906.tif 000004
６  スクリーン
７  本考案のピアノ・オルゴールボタン
８  携帯電話本体の蓋
９  携帯電話本体の上部と下部をつなぐ器具
１０  通話ペアボタン
【図１】
0003140906.tif 000005
【図２】
0003140906.tif 000006
(57)【要約】【課題】ステップバーを楕円形の径路に沿って移動させ、使用者のステップの施力行程を増やすことができるステッパーを提供する。【解決手段】支柱１４を備えるベース１０と、支柱１４に取り付けられるサドル１７と、枢軸１９を用いてベース１０に設けられる一対のクランク３０及び一対のステップバー４０と、を含み、ステップバー４０はクランク３０に連結され、ステップバー４０の前方４４が楕円形の径路に沿って移動する。【選択図】図１
0003146073.tif 000002
【実用新案登録請求の範囲】
【請求項１】
支柱（１４）を備えるベース（１０）と、前記支柱（１４）に取り付けられるサドル（１７）と、枢軸（１９）を用いて前記ベース（１０）に設けられる一対のクランク（３０）及び一対のステップバー（４０）と、を含み、
前記ステップバー（４０）は前記クランク（３０）に連結され、前記ステップバー（４０）の前方（４４）が楕円形の径路に沿って移動可能なことを特徴とするエリプティカルステッパー。
【請求項２】
一対の動揺アーム（２０）の頂上端（２１）は枢軸（１８）を用いて前記ベース（１０）の前記支柱（１４）に回転可能に接続され、前記一対の動揺アーム（２０）の底端（２２）は前記ステップバー（４０）の後方（４１）へ連結されることを特徴とする請求項１記載のエリプティカルステッパー。
【請求項３】
前記一対のクランク（３０）にはそれぞれ前記枢軸（１９）から遠い個所に設けられる軸（３１）を備え、前記軸（３１）は連接バー（４３）を用いて前記ステップバー（４０）の中間個所（４２）に連結され、並びに、前記軸（３１）は連動バー（３３）を用いて動揺アーム（２０）に連結されることを特徴とする請求項１記載のエリプティカルステッパー。
【考案の詳細な説明】
【技術分野】
【０００１】
本考案は楕円形の径路に沿って移動することができるエリプティカルステッパーに関するものである。
【背景技術】
【０００２】
現在使われている自転車型ステッパーは円形を描くようにステップされ、楕円形のように回ることができないので、ステップ運動の効果はあまりよくない。
【考案の開示】
【考案が解決しようとする課題】
【０００３】
本考案はステップバーを楕円形の径路に沿って移動させ、使用者のステップの施力行程を増やすことができるステッパーを提供するものである。
【課題を解決するための手段】
【０００４】
本考案によると、支柱を備えるベースと、前記支柱に取り付けられるサドルと、枢軸を用いて前記ベースに設けられる一対のクランク及び一対のステップバーと、を含み、前記ステップバーは前記クランクに連結され、ステップバーの前方が楕円形の径路に沿って移動する。
【考案を実施するための最良の形態】
【０００５】
本考案の一実施形態によるエリプティカルステッパーは前方１２にコントローラ(controller)１３を支えるための支柱１１を備えるベース１０と、後方１５にレール(rail)１６を取り付けるための別の支柱１４と、調整可能にレール１６または支柱１４に取り付けられサドル１７を含む。一対の動揺アーム２０の一端または頂上端２１は枢軸１８を用いてベース１０または支柱１４に連結される。一対のクランク３０は枢軸１９を用いて支柱１４に取り付けられ、それにはそれぞれ枢軸１９から遠のく個所に設けられる軸３１を備え、かつ枢軸１９はできれば枢軸１８の前に設けたほうがいい。一対のステップバー４０の後方４１は各動揺アーム２０の別の一端または底端２２に連結され、ステップバー４０の中間個所42は連接バー４３を用いてクランク３０の軸３１に回転可能に接続され、それによってステップバー４０の前方４４は楕円形を描いて移動することが可能となる。ステップバー４０にはそれぞれ使用者のステップのためのペダル(pedal)４５が備えられる。一対の連動バー３３はクランク３０の軸３１と動揺アーム２０の間に連結され、それによってクランク３０と動揺アーム２０間の連動を支持し、またはステップバー４０の移動行程を定めることができる。
【０００６】
抵抗力装置５０は枢軸５２を用いて支柱１４に設けられる回転輪５１と、枢軸１９に設けられる従動輪５３と、別の枢軸５５を用いて支柱１４に設けられる重力輪５４を含み、例えばベルト(belt)のような連結部材５６は枢軸１９または従動輪５３を重力輪５４またはその枢軸５５に連結することができ、他の例えばベルトのような連結部材５７は重力輪５４またはその枢軸５５を回転輪５１またはその枢軸５２に連結することができ、もちろん回転輪５１またはその枢軸５２は重力輪５４を経由しないで直接従動輪５３またはその枢軸１９に連結することもでき、それによって従動輪５３または回転輪５１または重力輪５４はクランク３０またはステップバー４０に対して抵抗力を施すことができる。その他例えば電磁ブレーキ(brake)または液体圧または気圧抵抗力装置も回転輪５１または枢軸１９に対して抵抗力を施すことに用いられる。
【０００７】
作動時、ステップバー４０の前方４４またはペダル４５は楕円形の径路に沿って移動することが可能となるので（図６、７の如く）、使用者はステップ時にステップの施力行程を増やすことができ、またはステップバー４０の前方４４またはペダル４５に対してやや長いステップ行程を施し、運動効果を増やすことができる。
【図面の簡単な説明】
【０００８】
【図１】本考案の一実施形態による外観図である。
【図２】本考案の一実施形態による外観図である。
【図３】本考案の一実施形態による側面図である。
【図４】本考案の一実施形態による分解図である。
【図５】本考案の一実施形態による分解図である。
【図６】本考案の一実施形態による側面図である。
【図７】本考案の一実施形態による側面図である。
【符号の説明】
【０００９】
１０：ベース、１１：支柱、１２：前方、１３：コントローラ、１４：支柱、１５：後方、１６：レール、１７：サドル、１８：枢軸、１９：枢軸、２０：動揺アーム、２１：頂上端、２２：底端、３０：クランク、３１：軸、３３：連動バー、４０：ステップバー、４１：後方、４２：中間個所、４３：連接バー、４４：前方、４５：ペダル、５０：抵抗力装置、５２：枢軸、５３：従動輪、５４：重力輪、５５：枢軸、５６：連結部材、５７：連結部材
【図１】
0003146073.tif 000003
【図２】
0003146073.tif 000004
【図３】
0003146073.tif 000005
【図４】
0003146073.tif 000006
【図５】
0003146073.tif 000007
【図６】
0003146073.tif 000008
【図７】
0003146073.tif 000009
(57)【要約】【課題】ステップバーの前方が上下に動揺することのできるエリプティカルトレーナーを提供する。【解決手段】支柱１１を備えるベース１０と、支柱１１に取り付けられる枢軸１２と、枢軸１２に連結される一対のハンドル２０及び一対のステップバー３０と、を含み、ハンドル２０にはそれぞれ各ステップバー３０の前方３１に連結される延伸アーム２４、及びステップバー３０とハンドル２０の間に連結される一対の連動バー３２を備える。【選択図】図１
0003146071.tif 000002
【実用新案登録請求の範囲】
【請求項１】
支柱（１１）を備えるベース（１０）と、支柱（１１）に取り付けられる枢軸（１２）と、枢軸（１２）に連結される一対のハンドル（２０）及び一対のステップバー（３０）と、を含み、
前記ハンドル（２０）にはそれぞれ前記各ステップバー（３０）の前方（３１）に連結される延伸アーム（２４）、及び前記ステップバー（３０）と前記ハンドル（２０）の間に連結される一対の連動バー（３２）が備えられることを特徴とするエリプティカルトレーナー。
【請求項２】
二本のパイプ（４７）が前記ステップバー（３０）の前方（３１）に回転可能に接続され、二本の調整バー（４１）が前記パイプ（４７）と前記ハンドル（２０）の前記延伸アーム（２４）との間に連結されることを特徴とする請求項１記載のエリプティカルトレーナー。
【請求項３】
一対のクランク（５０）は枢軸（１５）を用いて前記ベース（１０）に設けられ、前記一対のクランク（５０）はそれぞれ前記ステップバー（３０）の後方（３６）に連結される軸（５１）を備えることを特徴とする請求項１記載のエリプティカルトレーナー。
【考案の詳細な説明】
【技術分野】
【０００１】
本考案はステップバーの前方が上下に動くことができるエリプティカルトレーナー(elliptical trainer)に関するものである。
【背景技術】
【０００２】
現在使われているエリプティカルトレーナーの前方ハンドルはすべて直接支柱に連結されて前後だけに動揺することができ、上下に動くことができない。
【考案の開示】
【考案が解決しようとする課題】
【０００３】
本考案はステップバーの前方が上下に動揺することのできるエリプティカルトレーナーを提供するものである。
【課題を解決するための手段】
【０００４】
本発明は、エリプティカルトレーナーの一種であって、支柱を備えるベースと、支柱に取り付けられる枢軸と、枢軸に連結される一対のハンドル、及び一対のステップバーとを含み、ハンドルにはそれぞれ各ステップバーの前方に連結される延伸アーム、及びステップバーとハンドルの間に連結される一対の連動バーを備える。
【考案を実施するための最良の形態】
【０００５】
本考案の一実施形態によるエリプティカルトレーナーは前方に備える支柱１１と、支柱１１に取り付けられる枢軸１２と、後方１４に備える別の支柱１３とを含み、一対のハンドル２０の中間個所２１にはスリーブ(sleeve)２２が設けられて枢軸１２に連結され、それにはそれぞれ握るためのグリップ(grip)２３が設けられ、延伸アーム２４は中間個所２１またはスリーブ２２から延伸される。一対のステップバー３０の前方３１はそれぞれ連結装置４０を用いて各ハンドル２０の延伸アーム２４に連結され、それによってステップバー３０の前方３１は上下に動くことができる。連結装置４０は調整バー４１を含み、それには少なくとも一つの孔４２を備え、固定部材４３を用いて調整可能に各ハンドル２０の延伸アーム２４に連結され、別の調整バー４４は調整バー４１の他の一端４５に回転可能に接続され、かつ少なくとも一つの孔４６を備え（図５の如く）、パイプ４７はステップバー３０の前方３１に回転可能に接続され、それには調整バー４４の取り付けに供される孔４８を備え、並びに別の固定部材４９を用いて調整可能にパイプ４７とステップバー３０の前方３１に連結され、それによってステップバー３０の前方３１は調整可能にハンドル２０の延伸アーム２４へ連結される。
【０００６】
連動バー３２の一端３３はステップバー３０の底部に回転可能に接続され、その他の一端３４は枢軸２６を用いてハンドル２０の底部２５に回転可能に接続され、それによってハンドル２０の延伸アーム２４とステップバー３０及び連結装置４０の相互関係を保持し、並びに延伸アーム２４とステップバー３０の前方３１が上下に動くことを保持する。ステップバー３０の前方３１には連動バー３２の他の一端３４の取り付けに供される孔３５が設けられ、連動バー３２はステップバー３０の傍に取り付けられてステップバー３０に通さなくてもよい（図６の如く）。
【０００７】
一対のクランク５０は枢軸１５を用いて支柱１３に取り付けられ、それにはそれぞれ軸５１が備えられて枢軸１５から遠のく個所に設けられ、それはステップバー３０の後方３６が円形に回転し、並びにステップバー３０全体が楕円形に回転するようステップバー３０の後方３６に回転可能に接続される。ステップバー３０にはそれぞれペダル(pedal)３７が備えられる。回転輪６０は枢軸１５を用いて支柱１３に設けられ、並びにクランク５０に伴って回転することができ、従動輪６１は別の枢軸６２を用いて別の支柱１６に取り付けられ、並びに例えばベルト(belt)のような連結部材６３を用いて回転輪６０に連結され、それによって回転輪６０と枢軸１５に対して抵抗力を施す。このほかに例えば電磁ブレーキ(brake)、または液体圧または気圧の抵抗力装置等も回転輪６０と枢軸１５に対して抵抗力を施すことに用いられる。
【０００８】
ステップバー３０の後方３６もその他連結装置７０を用いてベース１０に連結されることができる（図６の如く）。従来のエリプティカルトレーナーの前方ハンドルは前後にしか動けて上下に動けなく、本考案の連動バー３２をステップバー３０とハンドル２０の間に連結した連結構造は延伸アーム２４を前向きの位置を保持して上下に動くことができる。
【図面の簡単な説明】
【０００９】
【図１】本考案の一実施形態による外観図である。
【図２】本考案の一実施形態による外観図である。
【図３】本考案の一実施形態による平面図である。
【図４】本考案の一実施形態による分解図である。
【図５】本考案の一実施形態による分解図である。
【図６】本考案の別の実施形態による外観図である。
【符号の説明】
【００１０】
１０：ベース、１１：枢軸、１３：支柱、１４：後方、１５：枢軸、２０：ハンドル、２１：中間個所、２２：スリーブ、２３：グリップ、２４：延伸アーム、２５：底部、３０：ステップバー、３１：前方、３２：連動バー、３３：一端、３４：他の一端、３５：孔、３６：後方、３７：ペダル、４０：連結装置、４１：調整バー、４２：孔、４３：固定部材、４４：調整バー、４５：他の一端、４６：孔、４７：パイプ、５０：クランク、５１：軸、６０：回転輪、６１：従動輪、６２：枢軸、６３：連結部材、７０：連結装置
【図１】
0003146071.tif 000003
【図２】
0003146071.tif 000004
【図３】
0003146071.tif 000005
【図４】
0003146071.tif 000006
【図５】
0003146071.tif 000007
【図６】
0003146071.tif 000008
(57)【要約】【課題】サドルを受け乗せ部材に設け、受け乗せ部材は駆動されて底座に相対して楕円形の行程を行い、安定して動くライディングマシンを提供する。【解決手段】クランク１３を備える底座１０と、移動可能に底座１０に取り付けられる受け乗せ部材３０と、受け乗せ部材３０に取り付けられて使用者を支えるサドル３７と、を備え、受け乗せ部材３０の後端３５は、クランク１３に連結される。【選択図】  図１
0003146074.tif 000002
【実用新案登録請求の範囲】
【請求項１】
クランク（１３）を備える底座（１０）と、
移動可能に前記底座（１０）に取り付けられる受け乗せ部材（３０）と、
前記受け乗せ部材（３０）に取り付けられて使用者を支えるサドル（３７）と、
を備え、
前記受け乗せ部材（３０）の後端（３５）は、前記クランク（１３）に連結されることを特徴とするライディングマシン。
【請求項２】
前記底座（１０）に回転可能に接続される作動棒（４０）を備え、
前記作動棒（４０）の一端（４３）は、前記クランク（１３）に連結されることを特徴とする請求項１記載のライディングマシン。
【請求項３】
前記受け乗せ部材（３０）の後端（３５）は、動揺棒（５０）を用いて前記クランク（１３）に連結されることを特徴とする請求項１記載のライディングマシン。
【考案の詳細な説明】
【技術分野】
【０００１】
本考案は、ライディングマシン（ｒｉｄｉｎｇ  ｍａｃｈｉｎｅ）に関するもので、特に、楕円形に安定して動くライディングマシンに関する。
【背景技術】
【０００２】
現在使われているライディングマシンの駆動装置とサドルとは、底座のやや高い個所に設けられ、かつ駆動装置は、瞬間的にサドル（ｓａｄｄｌｅ）を往復作動させるので、作動はかなり激しく怪我しやすい。
【考案の開示】
【考案が解決しようとする課題】
【０００３】
本考案の目的は、サドルを受け乗せ部材に設け、受け乗せ部材は駆動されて底座に相対して楕円形の行程を行い、安定して動くライディングマシンを提供することにある。
【課題を解決するための手段】
【０００４】
本考案によるライディングマシンは、クランク（ｃｒａｎｋ）を備える底座と、移動可能に前記底座に取り付けられる受け乗せ部材と、前記受け乗せ部材に取り付けられて使用者を支えるサドルと、を備え、前記受け乗せ部材の後端は、前記クランクに連結される。
【考案を実施するための最良の形態】
【０００５】
以下、本発明の実施の形態を図面に基づいて説明する。
（一実施形態）
本考案の一実施形態によるライディングマシンは、底座１０を含み、支柱１１は底座１０の前部個所１８に設けられ、支え１２は底座１０の後部個所１９に設けられる。少なくとも一つのクランク１３は枢軸１４を用いて支え１２に回転可能に接続され、別の枢軸１５は各クランク１３の末端に設けられる。受け乗せ部材３０は少なくとも一本の棒３１、３２が含まれ、棒３１、３２の前端３３は連結部材１６と枢軸１７を用いて支柱１１に連結され、それによって棒の前端３３は前後に移動することができる。支え棒３４は棒３１、３２の間に連結され、棒３１、３２の後部個所３５は直接クランク１３の枢軸１５に連結され（図７参照）、または、動揺棒５０を用いて動揺するようクランク１３の枢軸１５に連結される（図５、６参照）。殻体３６は、支え棒３４に設けられてサドル３７を支えて使用者８の騎乗に供される。サドル３７は、殻体３６にスライド（ｓｌｉｄｅ）するよう設けられる座棒３８を含み、かつ固定部材３９を用いて調整可能に殻体３６に固定され、サドル３７の上下位置の調整に供される。
【０００６】
受け乗せ部材３０は、連結部材１６を用いて底座１０に相対して前後または水平に移動することができる。後部個所３５は、直接クランク１３の枢軸１５に連結され（図７参照）、または動揺棒５０を用いて動揺するようクランク１３の枢軸１５に連結される。これにより、受け乗せ部材３０とサドル３７とは底座１０に相対して楕円形の作動を行うことができ、使用者８は腰をねじり、または馬乗りの揺れ動作を用いて受け乗せ部材３０とサドル３７とを楕円形に作動させることができる（図８、９参照）。フライホイール（ｆｌｙｗｈｅｅｌ）２０は、枢軸１４を用いて底座１０の支え１２に回転可能に接続される。重り２１は、枢軸２３を用いて底座１０の延伸棒２２に回転可能に接続され、並びに連結装置または歯車またはチェーン（ｃｈａｉｎ）またはベルト（ｂｅｌｔ）２４を用いてフライホイール２０に連結される。これによって、重り２１とフライホイール２０とは、クランク１３と枢軸１５とに対して阻止力を提供することができる。
【０００７】
駆動装置４は二本の作動棒４０を含み、作動棒４０の中間個所４１は枢軸４２を用いて底座１０の支え１２に回転可能に接続される。駆動装置４の末端個所４３は連動棒４４を用いてクランク１３の枢軸１５に連結され、クランク１３と枢軸１４及び受け乗せ部材３０とサドル３７は、楕円形に作動するよう駆動される（図５、６参照）。駆動装置４の別の一端または前端個所には騎乗者の足を載せるための踏み板４５が設けられる。踏み板４５が載せられ、または作動棒４０が使用された場合、クランク１３と枢軸１４とは駆動されて回転し、更に進んで受け乗せ部材３０とサドル３７とは楕円形に作動することができる。
【図面の簡単な説明】
【０００８】
【図１】本考案の一実施形態によるライディングマシンの斜視図である。
【図２】本考案の一実施形態によるライディングマシンの斜視図である。
【図３】本考案の一実施形態によるライディングマシンの分解斜視図である。
【図４】本考案の一実施形態によるライディングマシンの分解斜視である。
【図５】本考案の一実施形態によるライディングマシンの作動を示す側面図である。
【図６】本考案の一実施形態によるライディングマシンを示す側面図である。
【図７】本考案の一実施形態によるライディングマシンの他の連結態様を示す側面図である。
【図８】本考案の一実施形態によるライディングマシンの他の連結態様を示す側面図である。
【図９】本考案の一実施形態によるライディングマシンの他の連結態様を示す側面図である。
【符号の説明】
【０００９】
１０：底座、１１：支柱、１２：支え、１３：クランク、１４：枢軸、１５：枢軸、１６：連結部材、１７：枢軸、１８：前部個所、１９：後部個所、２０：フライホイール、２１：重り、２２：延伸棒、２３：枢軸、２４：連結装置、３０：受け乗せ部材、３１：棒、３２：棒、３３：前端、３４：支え棒、３５：後部個所、３６：殻体、３７：サドル、３８：座棒、３９：固定部材、４：駆動装置、４０：作動棒、４１：中間個所、４２：枢軸、４３：末端個所、４４：連動棒、４５：踏み板、５０：動揺棒
【図１】
0003146074.tif 000003
【図２】
0003146074.tif 000004
【図３】
0003146074.tif 000005
【図４】
0003146074.tif 000006
【図５】
0003146074.tif 000007
【図６】
0003146074.tif 000008
【図７】
0003146074.tif 000009
【図８】
0003146074.tif 000010
【図９】
0003146074.tif 000011
(57)【要約】      （修正有）【課題】サドルを受け乗せ部材に設け、受け乗せ部材は駆動されて底座に相対して楕円形の行程を行い、安定して動くライディングマシンを提供する。【解決手段】クランク１３を備える底座１０と、移動可能に底座１０に取り付けられる受け乗せ部材３０と、受け乗せ部材３０に取り付けられて使用者を支えるサドル３７と、を備え、受け乗せ部材３０の後端は、クランク１３に連結され、駆動装置２０は、クランク１３を連結し、クランク１３は駆動されて回転することができることを特徴とするライディングマシン。【選択図】図１
0003146076.tif 000002
【実用新案登録請求の範囲】
【請求項１】
クランク（１３）を備える底座（１０）と、
移動可能に前記底座（１０）に取り付けられる受け乗せ部材（３０）と、
前記受け乗せ部材（３０）に取り付けられて使用者を支えるサドル（３７）と、
を備え、
前記受け乗せ部材（３０）の後端（３５）は、前記クランク（１３）に連結され、
駆動装置（２０）は、前記クランク（１３）を連結し、
前記クランク（１３）は駆動されて回転することができることを特徴とするライディングマシン。
【請求項２】
前記受け乗せ部材（３０）の前端は、連結部材（１６）に連結し、
サスペンションアーム（４０）は、枢軸（４１）を用いて前記底座（１０）に回転可能に接続し、
前記連結部材（１６）は、枢軸（４５）を用いて前記サスペンションアーム（４０）に回転可能に接続されることを特徴とする請求項１記載のライディングマシン。
【請求項３】
前記受け乗せ部材（３０）の後端（３５）は、動揺棒（３９）を用いて前記クランク（１３）に連結されることを特徴とする請求項１記載のライディングマシン。
【考案の詳細な説明】
【技術分野】
【０００１】
本考案は、ライディングマシン（ｒｉｄｉｎｇ  ｍａｃｈｉｎｅ）に関し、特に、楕円形に安定して動くライディングマシンに関する。
【背景技術】
【０００２】
現在使われているライディングマシンの駆動装置とサドルとは、底座のやや高い個所に設けられ、かつ駆動装置は、瞬間的にサドルを往復作動させるので、作動はかなり激しく怪我しやすい。
【考案の開示】
【考案が解決しようとする課題】
【０００３】
本考案の目的は、を受け乗せ部材に設け、受け乗せ部材は駆動されて底座に相対して楕円形の行程を行い、安定して動くライディングマシンを提供することにある。
【課題を解決するための手段】
【０００４】
本考案によるライディングマシンは、クランクを備える底座と、移動可能に底座に取り付けられる受け乗せ部材と、受け乗せ部材に取り付けられて使用者を支えるサドルと、を備え、受け乗せ部材の後端はクランクに連結され、駆動装置はクランクを連結し、クランクは駆動されて回転することができる。
【考案を実施するための最良の形態】
【０００５】
以下、本発明の実施の形態を図面に基づいて説明する。
（一実施形態）
本考案の一実施形態によるライディングマシンは、底座１０を含み、支柱１１は底座１０の前部個所１８に設けられ、支え１２は底座１０の後部個所１９に設けられる。少なくとも一つクランク１３は枢軸１４を用いて支え１２に回転可能に接続され、別の枢軸１５は各クランク１３の末端に設けられる。駆動装置２０は底座１０に設けられ、駆動装置２０は、枢軸２２を用いて支え１２に回転可能に接続されるフライホイール（ｆｌｙｗｈｅｅｌ）２１と、連結装置または歯車またはチェーン（ｃｈａｉｎ）またはベルト（ｂｅｌｔ）２５を用いてフライホイール２１に連結されるモータ（ｍｏｔｏｒ）２３の軸２４と、枢軸１４に固定され、並びに別の連結装置または歯車またはチェーンまたはベルト２７を用いてフライホイール２１の枢軸２２に連結される重り２６が含まれる。重り２６とフライホイール２１及びクランク１３は、モータ２３に駆動される。もちろんモータ２３は、直接枢軸１４またはクランク１３に連結されて重り２６とフライホイール２１を必要しなくてもよい。ブレーキ（ｂｒａｋｅ）装置２８は、連結装置２７に連結される。
【０００６】
受け乗せ部材３０は少なくとも一本の棒３１、３２が含まれ、棒３１、３２の前端３３は連結部材１６と枢軸１７を用いて支柱１１に連結され、棒３１、３２の前端３３は前後に移動することができる。支え棒３４は、棒３１、３２の間に連結され、棒３１、３２の後部個所３５は直接クランク１３の枢軸１５に連結され、または動揺棒３９を用いて動揺するようクランク１３の枢軸１５に連結され（図５、６参照）る。作動時、モータ２３は、先に直接または間接的にクランク１３を駆動し、それから棒３１、３２を駆動して楕円形に動かす。殻体３６は、支え棒３４に設けられてサドル３７を支えて使用者８の騎乗に供され、サドル３７は調整可能に殻体３６に固定される座棒を含み、サドル３７の上下位置の調整に供される。
【０００７】
サスペンションアーム４０は、枢軸４１を用いて前後に移動できるよう支柱１１に回転可能に接続される。連結部材１６の頂上端４４は、別の枢軸４５を用いてサスペンションアーム４０に回転可能に接続される。枢軸４５、４１は個別に離れる。連動棒４２は、クランク１３に連結され、並びに枢軸４３を用いてサスペンションアーム４０に連結され、クランク１３は連動棒４２によってサスペンションアーム４０を作動することができる。枢軸４３、４１、４５は個別に離れ、枢軸４５はできれば枢軸４１、４３の間に設けられる。サスペンションアーム４０が底座１０の支柱１１に相対して動揺した場合、連結部材１６は上下に移動し、受け乗せ部材３０の前端３３は底座１０に相対して上下に移動することができる。
【図面の簡単な説明】
【０００８】
【図１】本考案の一実施形態によるライディングマシンの斜視図である。
【図２】本考案の一実施形態によるライディングマシンの斜視図である。
【図３】本考案の一実施形態によるライディングマシンの分解斜視図である。
【図４】本考案の一実施形態によるライディングマシンの分解斜視図である。
【図５】本考案の一実施形態によるライディングマシンの側面図である。
【図６】本考案の一実施形態によるライディングマシンの作動を示す側面図である。
【符号の説明】
【０００９】
１０：底座、１１：支柱、１２：支え、１３：クランク、１４：枢軸、１５：枢軸、１６：連結部材、１７：枢軸、１８：前部個所、１９：後部個所、２０：駆動装置、２１：フライホイール、２２：枢軸、２３：モータ、２４：軸、２５：連結装置、２６：重り、２７：連結装置、３０：受け乗せ部材、３１：棒、３２：棒、３３：前端、３４：支え棒、３５：後部個所、３６：殻体、３７：サドル、３９：動揺棒、４０：サスペンションアーム、４１：枢軸、４２：連動棒、４３：枢軸、４４：頂上端、４５：枢軸
【図１】
0003146076.tif 000003
【図２】
0003146076.tif 000004
【図３】
0003146076.tif 000005
【図４】
0003146076.tif 000006
【図５】
0003146076.tif 000007
【図６】
0003146076.tif 000008